(57)【特許請求の範囲】
【請求項１】
スキャナが取り込んだ画像データを受信して、該画像データを一時的に記憶するプリンタ記憶手段を有するプリンタへ、該画像データを送信するサーバにおいて、
前記スキャナからの画像データが一時的に記憶されるサーバ記憶手段と、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手段と、
前記サーバ記憶手段の空き容量を随時把握するサーバ空き容量把握手段と、
前記プリンタに対して、前記プリンタ記憶手段の空き容量の通知を随時要求して、該プリンタから通知された空き容量を受け取るプリンタ空き容量把握手段と、
前記サーバ空き容量把握手段により、前記サーバ記憶手段に前記サーバ側処理単位分の記憶に必要な空き容量があると把握さると、直ちに、前記スキャナに対して該サーバ側処理単位分の画像データの転送を要求して、該スキャナからの該サーバ側処理単位分の画像データを該サーバ記憶手段に記憶させる画像データ受信管理手段と、
前記プリンタ空き容量把握手段により、前記プリンタ記憶手段に前記プリンタ側処理単位分の記憶に必要な空き容量があると把握されると、直ちに、該プリンタ側処理単位分の画像データを前記プリンタへ送信する画像データ送信管理手段と、
を備え、
前記サーバ側処理単位は、前記原稿の１ページ未満であって予め定めた複数ライン分であり、前記プリンタ側処理単位は、前記原稿の１ページ分未満であって予め定めた複数ライン分、又は前記原稿の１ページ分である、
ことを特徴とするサーバ。
【請求項２】
スキャナが取り込んだ画像データを受信して、該画像データを一時的に記憶するプリンタ記憶手段を有するプリンタへ、該画像データを送信するサーバにおいて、
前記スキャナからの画像データが一時的に記憶されるサーバ記憶手段と、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手段と、
前記サーバ記憶手段の空き容量を随時把握するサーバ空き容量把握手段と、
前記プリンタに対して、前記プリンタ記憶手段の空き容量の通知を随時要求して、該プリンタから通知された空き容量を受け取るプリンタ空き容量把握手段と、
前記サーバ空き容量把握手段により、前記サーバ記憶手段に前記サーバ側処理単位分の記憶に必要な空き容量があると把握さると、直ちに、前記スキャナに対して該サーバ側処理単位分の画像データの転送を要求して、該スキャナからの該サーバ側処理単位分の画像データを該サーバ記憶手段に記憶させる画像データ受信管理手段と、
前記プリンタ空き容量把握手段により、前記プリンタ記憶手段に前記プリンタ側処理単位分の記憶に必要な空き容量があると把握されると、直ちに、該プリンタ側処理単位分の画像データを前記プリンタへ送信する画像データ送信管理手段と、
を備え、
前記サーバ側処理単位は、前記原稿の１ページ未満であって予め定めた複数ライン分であり、前記プリンタ側処理単位は、前記原稿の１ページ分である第一プリンタ側処理単位と、前記原稿の１ページ未満であって予め定めた複数ライン分の第二プリンタ側処理単位とがあり、
前記画像データ受信管理手段は、
前記サーバ記憶容量把握手段により、前記サーバ記憶手段に前記サーバ側処理単位分の記憶に必要な空き容量があると把握されると、前記スキャナから１頁分の画像データを受信するまで、該スキャナに対して該サーバ側処理単位分の画像データの転送を要求して、該スキャナからの該サーバ側処理単位分の画像データを該サーバ記憶手段に順次記憶させ、
前記画像データ送信管理手段は、
前記サーバ記憶容量把握手段により、前記サーバ記憶手段に前記原稿の１ページ分の記憶に必要な空き容量があると把握され、且つ前記プリンタ記憶容量把握手段により、前記プリンタ記憶手段に前記第一プリンタ側処理単位分の記憶に必要な空き容量があると把握されると、直ちに、該第一プリンタ側処理単位分の画像データを一度に前記プリンタへ転送し、
前記サーバ記憶容量把握手段により、前記サーバ記憶手段に前記原稿の１ページ分の記憶に必要な空き容量がないと把握され、且つ前記プリンタ記憶容量把握手段により、前記プリンタ記憶手段に前記第一プリンタ側処理単位以下であって前記第二プリンタ側処理単位以上の記憶に必要な空き容量があると把握されると、直ちに、該空き容量以内であって該第二プリンタ側処理単位の最大倍数分の画像データを一度に前記プリンタへ転送する、
ことを特徴とするサーバ。
【請求項３】
請求項１及び２のいずれか一項に記載のサーバと、
前記スキャナと、
前記プリンタと、
を備え、
前記スキャナは、
前記原稿から画像データを取り込む画像取込み手段と、
前記サーバの前記画像データ受信管理手段から、要求された前記サーバ側処理単位分の画像データを転送する画像データ送信手段と、
を有し、
前記プリンタは、
前記画像データを一時的に記憶する前記プリンタ記憶手段と、
前記プリンタ記憶手段に記憶された前記画像データを印刷する前記印刷機構と、
前記サーバの前記プリンタ記憶容量把握手段により、前記プリンタ記憶手段の空き容量の通知が要求されると、該空き容量を該プリンタ記憶容量把握手段に通知するプリンタ記憶容量通知手段と、
を有する、
ことを特徴とするコピーシステム。
【請求項４】
請求項３に記載のコピーシステムにおいて、
前記サーバは、前記画像取込み手段に前記原稿を送る自動給紙手段を有する、
ことを特徴とするコピーシステム。
【請求項５】
スキャナが取り込んだ画像データを受信して、サーバ記憶手段に一時的に記憶し、該画像データをプリンタのプリンタ記憶手段に記憶させた後、該プリンタ記憶手段に記憶された該画像データを印刷させるプログラムが記憶されている記憶媒体において、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手順と、
前記サーバ記憶手段の空き容量を随時把握するサーバ空き容量把握手順と、
前記プリンタに対して、前記プリンタ記憶手段の空き容量の通知を随時要求して、該プリンタから通知された空き容量を受け取るプリンタ空き容量把握手順と、
前記サーバ空き容量把握手順で、前記サーバ記憶手段に前記サーバ側処理単位分の記憶に必要な空き容量があると把握されると、直ちに、前記スキャナに対して該サーバ側処理単位分の画像データの転送を要求して、該スキャナからの該サーバ側処理単位分の画像データを該サーバ記憶手段に記憶させる画像データ受信管理手順と、
前記プリンタ空き容量把握手順で、前記プリンタ記憶手段に前記プリンタ側処理単位分の記憶に必要な空き容量があると把握さると、直ちに、該プリンタ側処理単位分の画像データを前記プリンタへ送信する画像データ送信管理手順と、
前記プリンタに対して、前記プリンタ記憶手段に記憶された前記画像データの印刷を指示する印刷指示手順と、
を有し、
前記サーバ側処理単位は、前記原稿の１ページ未満であって予め定めた複数ライン分であり、前記プリンタ側処理単位は、前記原稿の１ページ分未満であって予め定めた複数ライン分、又は前記原稿の１ページ分である、
ことを特徴とするプログラムが記憶されている記憶媒体。
【請求項６】
スキャナが取り込んだ画像データを受信して、サーバ記憶手段に一時的に記憶し、該画像データをプリンタのプリンタ記憶手段に記憶させた後、該プリンタ記憶手段に記憶された該画像データを印刷させるプログラムが記憶されている記憶媒体において、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手順と、
前記サーバ記憶手段の空き容量を随時把握するサーバ空き容量把握手順と、
前記プリンタに対して、前記プリンタ記憶手段の空き容量の通知を随時要求して、該プリンタから通知された空き容量を受け取るプリンタ空き容量把握手順と、
前記サーバ空き容量把握手順で、前記サーバ記憶手段に前記サーバ側処理単位分の記憶に必要な空き容量があると把握されると、直ちに、前記スキャナに対して該サーバ側処理単位分の画像データの転送を要求して、該スキャナからの該サーバ側処理単位分の画像データを該サーバ記憶手段に記憶させる画像データ受信管理手順と、
前記プリンタ空き容量把握手順で、前記プリンタ記憶手段に前記プリンタ側処理単位分の記憶に必要な空き容量があると把握さると、直ちに、該プリンタ側処理単位分の画像データを前記プリンタへ送信する画像データ送信管理手順と、
前記プリンタに対して、前記プリンタ記憶手段に記憶された前記画像データの印刷を指示する印刷指示手順と、
を有し、
前記サーバ側処理単位は、前記原稿の１ページ未満であって予め定めた複数ライン分であり、前記プリンタ側処理単位は、前記原稿の１ページ分である第一プリンタ側処理単位と、前記原稿の１ページ未満であって予め定めた複数ライン分の第二プリンタ側処理単位とがあり、
前記画像データ受信管理手順では、
前記サーバ記憶容量把握手順で、前記サーバ記憶手段に前記サーバ側処理単位分の記憶に必要な空き容量があると把握されると、前記スキャナから１頁分の画像データを受信するまで、該スキャナに対して該サーバ側処理単位分の画像データの転送を要求して、該スキャナからの該サーバ側処理単位分の画像データを該サーバ記憶手段に順次記憶させ、
前記画像データ送信管理手順では、
前記サーバ記憶容量把握手順で、前記サーバ記憶手段に前記原稿の１ページ分の記憶に必要な空き容量があると把握され、且つ前記プリンタ記憶容量把握手順で、前記プリンタ記憶手段に前記第一プリンタ側処理単位分の記憶に必要な空き容量があると把握されると、直ちに、該第一プリンタ側処理単位分の画像データを一度に前記プリンタへ転送し、前記サーバ記憶容量把握手順で、前記サーバ記憶手段に前記原稿の１ページ分の記憶に必要な空き容量がないと把握され、且つ前記プリンタ記憶容量把握手順で、前記プリンタ記憶手段に前記第一プリンタ側処理単位以下であって前記第二プリンタ側処理単位以上の記憶に必要な空き容量があると把握されると、直ちに、該空き容量以内であって該第二プリンタ側処理単位の最大倍数分の画像データを一度に前記プリンタへ転送する、
ことを特徴とするプログラムが記憶されている記憶媒体。
【発明の詳細な説明】
【０００１】
【発明の属する技術分野】
本発明は、スキャナ、サーバ及びプリンタを備えているコピーシステム、このシステムのサーバ、このサーバを動作させるプログラムが記憶されている記憶媒体に関する。
【０００２】
【従来の技術】
コピーシステムでは、サーバやプリンタに、ハードディスク等の外部記憶装置が設けられていないものも多い。このようなコピーシステムでは、従来、図１２に示すような手順で、原稿から画像データを読み込んで、この画像データを印刷している。なお、図１２は、サーバの動作順序を示している。
【０００３】
サーバは、まず、スキャナに自動給紙装置（Auto  Document  Feeder）が装着されているか否かを調べる（ステップ１）。スキャナに自動給紙装置が装着されていれば、自動給紙装置のトレイ上に原稿があるか否かを調べ（ステップ２）、原稿があれば自動給紙装置で原稿を給紙させてから（ステップ３）、ステップ４へ進む。ステップ１において、自動給紙装置が装着されていないと判断した場合には、原稿の手差しであると判断して、直ちにステップ４へ進む。
【０００４】
ステップ４では、スキャナへ原稿中の１ブロック分（ｎライン分）の画像取り込みを指示して、スキャナから１ブロック分の画像データを取り込む。そして、これに併せて、サーバのパネルに画像取り込み進捗状況を表示する（ステップ５）。次に、プリンタへ１ブロック分の画像データを転送する（ステップ６）。続いて、１ページ分の画像データの取り込みが終了したか否かを判断し（ステップ７）、終了していなければステップ４へ戻り、終了していればステップ８へ進む。
【０００５】
１ページ分の画像データの取り込みが終了すると、言い換えると、１ページ分の画像データのプリンタへの転送が終了すると、プリンタに対して１ページ分の画像データの印刷開始を指示する（ステップ８）。次に、プリンタに印刷進捗状況を問い合わせて（ステップ９）、印刷進捗状況をサーバのパネルに表示する（ステップ１０）。続いて、１ページ分の画像データの印刷が終了したか否かを判断し（ステップ１１）、終了していなければステップ９へ戻り、終了していれば、ステップ１２へ進む。
【０００６】
ステップ１２では、再び、スキャナに自動給紙装置が装着されているか否かを調べる。スキャナに自動給紙装置が装着されていれば、自動給紙装置のトレイ上に次の原稿があるか否かを調べ（ステップ１３）、次原稿があれば、既に読み込んだ現原稿を排紙させると共に、次原稿を給紙させてから（ステップ３）、ステップ４へ戻る。また、次原稿がなければ、既に読み込んだ現原稿を排紙させて（ステップ１５）、終了する。ステップ１２において、自動給紙装置が装着されていないと判断した場合には、原稿の手差しであると判断して、終了する。
【０００７】
次に、以上のような動作での画像取り込みタイミングと印刷タイミングとについて、図１３を用いて説明する。
【０００８】
サーバは、１ページ目の画像データの取り込みを開始すると、これと並行して、プリンタへ画像データの転送を行う。プリンタは、１ページ目の全ての画像データを受信すると、この１ページ目の画像データの印刷を実行し、印刷が終了すると、その旨をサーバに知らせる。サーバは、これを受けて、２ページ目の画像データの取り込みを開始する。以下は、１ページ目と同様に動作する。
【０００９】
【発明が解決しようとする課題】
以上のように、従来技術では、プリンタ等にハードディスク等の外部記憶装置がない場合、１ページ目の画像データについて、プリンタが印刷終了するのを待って、次の原稿の画像データの取り込みを実行しているため、１ページ目の画像取り込み時間と２ページ目の画像取り込み時間との間に、１ページ目の印刷時間が入ることになり、ｎ枚の原稿をコピーする場合、｛（１ページ分の画像取り込み時間＋１ページ分の印刷時間）×ｎ｝時間も、コピー時間がかかってしまうという問題点がある。
【００１０】
本発明は、このような従来の問題点について着目してなされたもので、プリンタ等にハードディスク等の外部記憶装置がなくても、コピー時間を短縮することができる、コピーシステム、サーバ、このサーバを動作させるプログラムが記憶されている記憶媒体を提供することを目的とする。
【００１１】
【課題を解決するための手段】
前記目的を達成するための第一のサーバは、
スキャナが取り込んだ画像データを受信して、該画像データを一時的に記憶するプリンタ記憶手段を有するプリンタへ、該画像データを送信するサーバにおいて、
前記スキャナからの画像データが一時的に記憶されるサーバ記憶手段と、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手段と、
前記サーバ記憶手段の空き容量を随時把握するサーバ空き容量把握手段と、
前記プリンタに対して、前記プリンタ記憶手段の空き容量の通知を随時要求して、該プリンタから通知された空き容量を受け取るプリンタ空き容量把握手段と、
前記サーバ空き容量把握手段により、前記サーバ記憶手段に前記サーバ側処理単位分の記憶に必要な空き容量があると把握さると、直ちに、前記スキャナに対して該サーバ側処理単位分の画像データの転送を要求して、該スキャナからの該サーバ側処理単位分の画像データを該サーバ記憶手段に記憶させる画像データ受信管理手段と、
前記プリンタ空き容量把握手段により、前記プリンタ記憶手段に前記プリンタ側処理単位分の記憶に必要な空き容量があると把握されると、直ちに、該プリンタ側処理単位分の画像データを前記プリンタへ送信する画像データ送信管理手段と、
を備え、
前記サーバ側処理単位は、前記原稿の１ページ未満であって予め定めた複数ライン分であり、前記プリンタ側処理単位は、前記原稿の１ページ分未満であって予め定めた複数ライン分、又は前記原稿の１ページ分である、
ことを特徴とするものである。
【００１４】
前記目的を達成するための第二のサーバは、
スキャナが取り込んだ画像データを受信して、該画像データを一時的に記憶するプリンタ記憶手段を有するプリンタへ、該画像データを送信するサーバにおいて、
前記スキャナからの画像データが一時的に記憶されるサーバ記憶手段と、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手段と、
前記サーバ記憶手段の空き容量を随時把握するサーバ空き容量把握手段と、
前記プリンタに対して、前記プリンタ記憶手段の空き容量の通知を随時要求して、該プリンタから通知された空き容量を受け取るプリンタ空き容量把握手段と、
前記サーバ空き容量把握手段により、前記サーバ記憶手段に前記サーバ側処理単位分の記憶に必要な空き容量があると把握さると、直ちに、前記スキャナに対して該サーバ側処理単位分の画像データの転送を要求して、該スキャナからの該サーバ側処理単位分の画像データを該サーバ記憶手段に記憶させる画像データ受信管理手段と、
前記プリンタ空き容量把握手段により、前記プリンタ記憶手段に前記プリンタ側処理単位分の記憶に必要な空き容量があると把握されると、直ちに、該プリンタ側処理単位分の画像データを前記プリンタへ送信する画像データ送信管理手段と、
を備え、
前記サーバ側処理単位は、前記原稿の１ページ未満であって予め定めた複数ライン分であり、前記プリンタ側処理単位は、前記原稿の１ページ分である第一プリンタ側処理単位と、前記原稿の１ページ未満であって予め定めた複数ライン分の第二プリンタ側処理単位とがあり、
前記画像データ受信管理手段は、
前記サーバ記憶容量把握手段により、前記サーバ記憶手段に前記サーバ側処理単位分の記憶に必要な空き容量があると把握されると、前記スキャナから１頁分の画像データを受信するまで、該スキャナに対して該サーバ側処理単位分の画像データの転送を要求して、該スキャナからの該サーバ側処理単位分の画像データを該サーバ記憶手段に順次記憶させ、
前記画像データ送信管理手段は、
前記サーバ記憶容量把握手段により、前記サーバ記憶手段に前記原稿の１ページ分の記憶に必要な空き容量があると把握され、且つ前記プリンタ記憶容量把握手段により、前記プリンタ記憶手段に前記第一プリンタ側処理単位分の記憶に必要な空き容量があると把握されると、直ちに、該第一プリンタ側処理単位分の画像データを一度に前記プリンタへ転送し、
前記サーバ記憶容量把握手段により、前記サーバ記憶手段に前記原稿の１ページ分の記憶に必要な空き容量がないと把握され、且つ前記プリンタ記憶容量把握手段により、前記プリンタ記憶手段に前記第一プリンタ側処理単位以下であって前記第二プリンタ側処理単位以上の記憶に必要な空き容量があると把握されると、直ちに、該空き容量以内であって該第二プリンタ側処理単位の最大倍数分の画像データを一度に前記プリンタへ転送する、
ことを特徴とするものである。
【００１５】
前記目的を達成するための第一のコピーシステムは、
前記第一及び第二のいずれかのサーバと、
前記スキャナと、
前記プリンタと、
を備え、
前記スキャナは、
前記原稿から画像データを取り込む画像取込み手段と、
前記サーバの前記画像データ受信管理手段から、要求された前記サーバ側処理単位分の画像データを転送する画像データ送信手段と、
を有し、
前記プリンタは、
前記画像データを一時的に記憶する前記プリンタ記憶手段と、
前記プリンタ記憶手段に記憶された前記画像データを印刷する前記印刷機構と、
前記サーバの前記プリンタ記憶容量把握手段により、前記プリンタ記憶手段の空き容量の通知が要求されると、該空き容量を該プリンタ記憶容量把握手段に通知するプリンタ記憶容量通知手段と、
を有することを特徴とするものである。
【００１６】
また、前記目的を達成するための第二のコピーシステムは、
前記第一のコピーシステムにおいて、
前記サーバは、前記画像取込み手段に前記原稿を送る自動給紙手段を有する、
ことを特徴とするものである。
【００１７】
前記目的を達成するための記憶媒体は、
スキャナが取り込んだ画像データを受信して、サーバ記憶手段に一時的に記憶し、該画像データをプリンタのプリンタ記憶手段に記憶させた後、該プリンタ記憶手段に記憶された該画像データを印刷させるプログラムが記憶されている記憶媒体において、
前記スキャナが取り込んだ、原稿中の取込画像領域及び画像データの解像度から、該画像データの１ラインを基準として予め定めたサーバ側処理単位分及びプリンタ側処理単位の記憶に必要な記憶容量を求める必要記憶容量演算手順と、
前記サーバ記憶手段の空き容量を随時把握するサーバ空き容量把握手順と、
前記プリンタに対して、前記プリンタ記憶手段の空き容量の通知を随時要求して、該プリンタから通知された空き容量を受け取るプリンタ空き容量把握手順と、
前記サーバ空き容量把握手順で、前記サーバ記憶手段に前記サーバ側処理単位分の記憶に必要な空き容量があると把握されると、直ちに、前記スキャナに対して該サーバ側処理単位分の画像データの転送を要求して、該スキャナからの該サーバ側処理単位分の画像データを該サーバ記憶手段に記憶させる画像データ受信管理手順と、
前記プリンタ空き容量把握手順で、前記プリンタ記憶手段に前記プリンタ側処理単位分の記憶に必要な空き容量があると把握さると、直ちに、該プリンタ側処理単位分の画像データを前記プリンタへ送信する画像データ送信管理手順と、
前記プリンタに対して、前記プリンタ記憶手段に記憶された前記画像データの印刷を指示する印刷指示手順と、
を有し、
前記サーバ側処理単位は、前記原稿の１ページ未満であって予め定めた複数ライン分であり、前記プリンタ側処理単位は、前記原稿の１ページ分未満であって予め定めた複数ライン分、又は前記原稿の１ページ分であることを特徴とするプログラムが記憶されているものである。
【００１８】
【発明の実施の形態】
以下、本発明に係るコピーシステムの一実施形態について、図１〜図１１を用いて説明する。
【００１９】
本実施形態のコピーシステムは、図１に示すように、原稿から画像データを取り込むスキャナ１０と、このスキャナ１０が取り込んだ画像データを印刷するプリンタ４０と、スキャナ１０及びプリンタ４０を制御するサーバ３０と、を備えている。
【００２０】
スキャナ１０は、実際に原稿から画像データを取り込むスキャン機構部２０と、このスキャン機構部２０を制御する制御部１１とを有している。制御部１１は、ハードウェア的には、各種操作を行うための操作ボタン等が設けられている操作部１８と、各種プログラム等を実行するＣＰＵ１２と、各種データや各種プログラム等が記憶されているＲＯＭ１３と、各種データや各種プログラムが一時的に記憶されるＲＡＭ１４と、操作部１８を制御する操作部コントローラ１５と、スキャン機構部２０をＣＰＵ１２からに指示に従って制御するスキャン機構部コントローラ１６と、外部との間で信号が入出力するＩ／Ｏ１７と、を有している。
【００２１】
スキャン機構部２０には、原稿をスキャン機構部２０へ導く自動給紙装置２５が取り付けられている。この自動給紙装置２５には、給紙トレイ上に原稿が存在するか否かを検知する原稿センサ２６が設けられている。また、スキャン機構部２０は、スキャン駆動回路２１と、自動給紙装置２５が装着されているか否かを検知する給紙装置検知センサ２２とを有している。
【００２２】
サーバ３０は、ハードウェア的には、各種プログラム等を実行するＣＰＵ３２と、各種データや各種プログラム等が記憶されているＲＯＭ３３と、各種データや各種プログラムが一時的に記憶されるＲＡＭ３４と、モニタ３８を制御するモニタコントローラ３５と、外部との間で信号が入出力するＩ／Ｏ３７と、を有している。なお、以下で説明する図３〜図５に示すフローを実行するプログラムは、ＲＯＭ３３に書き込まれている。このプログラムを提供する場合には、ＲＯＭを交換するか、又は、ＲＯＭが電気的に書き換え可能な例えばＦＬＡＳＨ・ＲＯＭである場合には、ネットワークを介して外部からサーバ内のＲＯＭに、このプログラムを書き込むようにしてもよい。
【００２３】
プリンタ４０は、実際に印刷を行う印刷機構部５０と、これを制御する印刷制御部４１と、を有している。印刷制御部４１は、各種プログラム等を実行するＣＰＵ４２と、各種データや各種プログラム等が記憶されているＲＯＭ４３と、各種データや各種プログラムが一時的に記憶されるＲＡＭ４４と、モニタ４８を制御するモニタコントローラ４５と、ＣＰＵ４２からの指示に従って印刷機構部５０を制御する印刷機構部コントローラ４６と、を有している。印刷機構部５０は、印刷機構駆動回路５１を有しており、印刷機構部コントローラ４６と接続されている。
【００２４】
スキャナ１０の制御部１１は、機能的には、図２に示すように、スキャン機構部（画像取込み手段）２０及び自動給紙装置２５を制御するスキャン制御部６１と、スキャン機構部２０が取り込んだ画像データを一時的に記憶する記憶部６２と、外部との間で信号の入出力を行う入出力部（画像データ送信手段）６３と、を有している。
【００２５】
また、サーバ３０は、スキャナからの画像データ等を一時的に記憶しておく記憶部７２と、画像データの１ラインを基準として定めた処理単位分の記憶に必要な記憶容量を求める必要記憶容量演算部（必要記憶容量演算手段）７４と、サーバ記憶部７２の空き容量を把握するサーバ空き容量把握部（サーバ空き容量把握手段）７５と、後述するプリンタ記憶部８２の空き容量を把握するプリンタ空き容量把握部（プリンタ空き容量把握手段）７６と、スキャナ１０からの画像データの受信を管理する画像データ受信管理部（画像データ受信管理手段）７７と、プリンタ４０への画像データの送信を管理する画像データ送信管理部（画像データ送信管理手段）７８と、外部との間で信号の入出力を行う入出力部７３ｓ、７３ｐと、以上の各機能部を管理する統合管理部７１と、を有している。
【００２６】
また、プリンタ４０の制御部４１は、印刷機構部５０を制御するプリント制御部（プリンタ記憶容量通知手段）８１と、サーバ３０からの画像データを一時的に記憶するプリンタ記憶部８２と、外部との間で信号の入出力を行う入出力部８３と、を有している。
【００２７】
なお、スキャナ１０の制御部１１の各機能部において、スキャン制御部６１は、スキャナ１０のＲＯＭ１３と、ＲＯＭ１３に記憶されているプログラムを実行するＣＰＵ１２とを有して構成され、入出力部６３は、ＣＰＵ１２、ＲＯＭ１３、Ｉ／Ｏ１７とを有して構成されている。また、スキャナ記憶部６２は、スキャナ１０のＲＡＭ１４を有して構成されている。
【００２８】
また、サーバ３０の各機能部において、統合管理部７１、必要記憶容量演算部７４、サーバ空き容量把握部７５、プリンタ空き容量把握部７６、画像データ受信管理部７７、及び画像データ送信管理部７８は、いずれも、サーバ３０のＣＰＵ３２と、このＣＰＵ３２が実行するためのプログラムが記憶されているＲＯＭ３３とを有して構成されている。また、入出力部７３ｓ，７３ｐは、ＣＰＵ１２、ＲＯＭ１３、Ｉ／Ｏ１７とを有して構成され、サーバ記憶部７２は、サーバ３０のＲＡＭ３４を有して構成されている。
【００２９】
また、プリンタ４０の制御部４１の各機能部において、プリント制御部８１は、プリンタ４０のＲＯＭ４３と、ＲＯＭ４３に記憶されているプログラムを実行するＣＰＵ４２とを有して構成され、入出力部８３は、ＣＰＵ４２、ＲＯＭ４３、Ｉ／Ｏ４７とを有して構成されている。また、プリンタ記憶部８２は、プリンタ４０のＲＡＭ４４を有して構成されている。
【００３０】
次に、図３〜図５に示すフローチャートに従って、サーバ３０の動作順序について説明する。
【００３１】
サーバ３０の統合管理部７１は、まず、従来技術と同様に、スキャナ１０に自動給紙装置（Auto  Document  Feeder）２５が装着されているか否かを調べる（ステップ２１）。サーバ３０の統合管理部７１は、スキャナ１０のスキャン制御部６１に装着情報を要求することで、スキャナ１０から装着情報を得る。スキャナ１０のスキャン制御部６１は、スキャン機構部２０に設けられている給紙装置センサ２２からの信号で、自動給紙装置２５が装着されているか否かを知る。
【００３２】
スキャナ１０に自動給紙装置２５が装着されていれば、統合管理部７１は、自動給紙装置２５のトレイ上に原稿があるか否かを調べ、原稿があれば自動給紙装置２５で原稿を給紙させてから（ステップ２３）、ステップ２４へ進む。ステップ２１において、自動給紙装置２５が装着されていないと判断した場合には、原稿の手差しであると判断して、直ちにステップ２４へ進む。自動給紙装置２５のトレイ上に原稿があるか否かは、自動給紙装置２５に設けられている原稿センサ２６で検知される。
【００３３】
ステップ２４では、必要記憶容量演算部７４が、取込画像領域のサイズ及び取込解像度からサーバ側処理単位分及びプリンタ側処理単位分の画像データの記憶に必要なメモリ量を求める。なお、取込画像領域及び取込解像度は、操作者がサーバ３０のモニタ３８を操作して、サーバ３０の統合管理部７１に入力する。また、この実施形態では、サーバ側処理単位は、予め定めたｎライン分を１ブロックとしたもので、プリンタ側処理単位は、原稿１ページ分の第一プリンタ側処理単位と、ｎライン分を１ブロックとした第二プリンタ側処理単位とがある。
【００３４】
ここで、１ライン分及び１ページ分の画像データの記憶に必要なメモリ量の演算の具体例について説明する。
【００３５】
取込画像領域のサイズを横Ａ（mm）×縦Ｂ（mm）、取込解像度をＲ（dpi）とした場合、１inch＝２５．４mmであることから、横ドット数＝Ａ／25.4×Ｒ、縦ドット数＝Ｂ／25.4×Ｒ  となる。
【００３６】
従って、ＲＧＢ各８ビットカラーの場合のデータサイズは、
１ライン当りのバイト数＝Ａ／25.4×Ｒ×３
１ページ当りのバイト数＝（Ａ／25.4×Ｒ×３）×（Ｂ／25.4×Ｒ×３）
となる。
【００３７】
また、８ビットモノクロの場合のデータサイズは、
１ライン当りのバイト数＝Ａ／25.4×Ｒ
１ページ当りのバイト数＝（Ａ／25.4×Ｒ）×（Ｂ／25.4×Ｒ）
となる。
【００３８】
このため、例えば、Ａ４縦置き原稿の全ての領域を解像度300dpiでコピーする場合、Ａ４＝横210（mm）×縦297（mm）であることから、
ＲＧＢ８ビットカラーの場合のデータサイズは、
0003711796.tif 000002
となる。
【００３９】
また、８ビットモノクロの場合のデータサイズは、
0003711796.tif 000003
となる。
【００４０】
必要記憶容量演算部７４は、以上のようにして求めた１ライン当りのデータサイズ及び１ページ分のデータサイズから、ｎライン分を１ブロックとしたサーバ側処理単位、原稿１ページ分の第一プリンタ側処理単位、ｎライン分を１ブロックとした第二プリンタ側処理単位を求める。
【００４１】
なお、本実施形態では、スキャナ１０からサーバ３０へ出力された画像データのデータサイズと、サーバ３０からプリンタ１０へ出力される画像データサイズとが、実質的に同じであるとして取り扱っているが、例えば、サーバ３０において、この画像データに何らかの処理を施し、出力解像度を変える場合等、スキャナ１０からの画像データのデータサイズと、サーバ３０から出力される画像データのデータサイズとが大きく変わる場合には、別途、出力解像度等を考慮して、サーバ側処理単位分の画像データの記憶に必要な記憶容量、及びプリンタ側処理単位分の画像データの記憶に必要な記憶容量をそれぞれ求める必要がある。
【００４２】
必要メモリ量を求めると、サーバ３０のサーバ空き容量把握部７５が、サーバ記憶部７２の空き容量を調べて、１ページ分の空きメモリがあるか否かを判断する（ステップ２５）。サーバ記憶部７２に１ページ分の空きメモリがある場合には、ステップ３０に進み、１ページ分の空きメモリない場合にはステップ５０に進む。
【００４３】
ステップ３０では、図４のフローチャートに示すように、まず、サーバ３０のプリンタ空き容量把握部７６が、入出力部７３ｐ，８３を介して、プリンタ４０のプリント制御部８１に対して、プリンタ記憶部８２の空き容量を問い合わせる（ステップ３１）。次に、プリンタ空き容量把握部７６は、プリンタ４０のプリント制御部８１からの空き容量情報に基づいて、プリンタ４０のプリンタ記憶部８２に１ページ分（第一プリンタ側処理単位）の空きメモリがあるか否かを判断する（ステップ３２）。プリンタ記憶部８２に１ページ分の空きメモリがない場合には、画像データ受信管理部７７が、スキャナ１０から１ページ分の画像データの取り込みを終了したか否かを判断し（ステップ３３）、未だ取り込みが終了していなければ、スキャナ１０からｎライン分（＝１ブロック分＝サーバ側処理単位分）の画像データを取り込んで、サーバ記憶部７２に記憶させると共に（ステップ３４）、図１０に示すように、取り込み進捗状況をモニタ３８の表示パネル３９に表示する（ステップ３５）。取り込み進捗状況を表示した後（ステップ３５）、及びステップ３３で、１ページ分の画像データの取り込みが終了したと判断した場合には、ステップ３１に戻る。
【００４４】
ステップ３２で、プリンタ記憶部８２に１ページ分の空きメモリがあると判断した場合には、画像データ送信管理部７８が、１ページ分（第一プリンタ側処理単位分）の取り込み済み画像データを一度にプリンタ１０へ転送する（ステップ３６）。
【００４５】
次に、画像データ受信管理部７７が、１ページ分の画像データの取り込みが終了したか否かを判断する（ステップ３７）。未だ取り込みが終了していなければ、画像データ受信管理部７７が、スキャナ１０からｎライン分（＝１ブロック分）の画像データを取り込んで、サーバ記憶部７２に記憶させると共に（ステップ３８）、取り込み進捗状況をモニタ３８の表示パネル３９に表示する（ステップ３９）。次に、画像データ送信部７８がｎライン分（第二プリンタ側処理単位分）の画像データをプリンタ４０へ転送する。そして、再び、ステップ３７に戻る。
【００４６】
なお、ステップ３６の処理は、サーバ記憶部７１に画像データが記憶されていない場合には、実行されず、直ちに、ステップ３７の処理が実行される。このため、１枚目の原稿のコピーの際に、図４に示すステップ３０の処理に入ると、ステップ３１、ステップ３２、ステップ３７を経て、ステップ３８のｎライン分の画像データ取り込み、ステップ４０のｎライン分の画像データの転送が実行され、１ページ分の画像データの取り込みが終了したならば、言い換えると、１ページ分の画像データの転送が終了したならば、ステップ６１（図３に示す）に進んで、統合管理部７１がプリンタ４０へ印刷開始を指示する。
【００４７】
すなわち、図４に示すステップ３０の処理では、当初、ステップ３７〜ステップ４０の処理を実行して、プリンタ記憶部８２に１ページ分の空きメモリが無くなると、ステップ３２の判断でステップ３３〜ステップ３５の処理を繰り返して実行し、プリンタ４０での印刷実行で、プリンタ記憶部８２に１ページ分の空きメモリができると、ステップ３６で、一度に画像データをプリンタ４０へ転送する。
【００４８】
また、ステップ２５（図３に示す）の処理で、サーバ記憶部７２に１ページ分の空きメモリがないと判断され、ステップ５０に進んだ場合には、図５のフローチャートに示すように、まず、サーバ３０のプリンタ空き容量把握部７６が、入出力部７３ｐ，８３を介して、プリンタ４０のプリント制御部８１に対して、プリンタ記憶部８２の空き容量を問い合わせる（ステップ５１）。次に、プリンタ空き容量把握部７６は、プリンタ４０のプリント制御部８１からの空き容量情報に基づいて、プリンタ記憶部８２にｎライン分以上の空きメモリがあるか否かを判断する（ステップ５２）。プリンタ記憶部８２にｎライン分以上の空きメモリがある場合には、画像データ受信管理部７７が、取り込み済み画像データのうちプリンタ記憶部８２の空きメモリ分以内であって第二プリンタ側処理単位の最大倍数分をプリンタ４０へ一度に転送し（ステップ５３）、ステップ５４へ進む。また、プリンタ記憶部８２にｎライン分以上の空きメモリがない場合も、ステップ５４へ進む。ステップ５４では、画像データ受信管理部７７が、スキャナ１０から１ページ分の画像データの取り込みを終了したか否かを判断し、未だ取り込みが終了していなければ、サーバ空き容量把握部７５がサーバ記憶部７２にｎライン分以上の空きメモリがあるか否かを確認する（ステップ５５）。サーバ記憶部７２にｎライン分以上の空きメモリが有れば、画像データ受信管理部７７が、スキャナ１０からｎライン分の画像データを取り込んで、サーバ記憶部７２に記憶させると共に（ステップ５６）、取り込み進捗状況をモニタ３８の表示パネル３９に表示する（ステップ５７）。取り込み進捗状況を表示した後（ステップ５７）、及びステップ５５で、サーバ記憶部７２にｎライン分以上の空きメモリが無いと判断した場合には、ステップ５１に戻る。
【００４９】
ステップ５４で、スキャナ１０から１ページ分の画像データの取り込みを終了したと判断した場合には、画像データ送信管理部７８が、プリンタ記憶部８２に残っている画像データが無いか確認し（ステップ５８）、残っている画像データがあれば、ステップ５１に戻り、残っている画像データが無い場合には、ステップ６１（図３に示す）に進んで、統合管理部７１がプリンタ４０へ印刷開始を指示する。
【００５０】
なお、ステップ５３の処理は、サーバ記憶部７１に画像データが記憶されていない場合には、実行されず、直ちに、ステップ５４の処理が実行される。このため、１枚目の原稿のコピーの際に、図５に示すステップ５０の処理に入ると、ステップ５１、ステップ５２、ステップ５４、ステップ５５を経て、ステップ５６のｎライン分の画像データ取り込みが実行され、１ページ分の画像データの取り込みが終了するまでの間に、プリンタ記憶部８２に空きメモリができた時点で、プリンタ４０への画像データ転送が実行される。
【００５１】
ステップ６１（図３に示す）で、統合管理部７１が、プリンタ４０へ印刷開始を指示すると、再び、スキャナ１０に自動給紙装置２５が装着されているか否かを調べる（ステップ６２）。スキャナ１０に自動給紙装置２５が装着されていれば、統合管理部７１は、自動給紙装置２５のトレイ上に次原稿があるか否かを調べ、次原稿があれば、自動給紙装置２５で現原稿を排紙させると共に、次原稿を給紙させて（ステップ６４）、ステップ２４へ戻る。また、次原稿がなければ、自動給紙装置２５で現原稿を排紙させて（ステップ６５）、終了する。ステップ６５が終了した後、及び、ステップ６２において、自動給紙装置２５が装着されていないと判断され場合、統合管理部７１がプリンタ４０へ印刷進捗状況を問い合わせ（ステップ６６）、図１１に示すように、印刷進捗状況をサーバ３０のパネル３９に表示する（ステップ６７）。そして、統合管理部７１がすべての印刷を終了したか判断し、終了していなければ、ステップ６６へ戻る。
【００５２】
次に、以上のような動作での画像取り込みタイミングと印刷タイミングについて、図６〜図９に示すタイミングチャートを用いて説明する。なお、これらのタイミングチャートは、いずれも、プリンタ４０がページプリンタであり、サーバ３０がスキャナ１０から一度に取り込む画像データサイズ（１ブロック＝ｎライン＝サーバ側処理単位）を１／３ページとし、自動給紙装置２５が４枚の原稿を給紙する場合を例示している。
【００５３】
まず、図６に示すタイミングチャートで、サーバ記憶部７２に原稿１ページ分の記憶容量があり、プリンタ記憶部８２に原稿２ページ分の記憶容量がある場合について説明する。
【００５４】
サーバ３０から指示で、自動給紙装置２５から１ページ目の原稿がスキャナ１０に給紙されると（ステップ２３）、ステップ２４,２５,３１,３２,３７を経て、サーバ３０は、ステップ３８で、１ページ目の第１ブロックの画像データを取り込み、ステップ４０で、１ページ目の第１ブロックの画像データをプリンタ４０へ転送する。以下、１ページ目の最後のブロックである第３ブロックがプリンタ４０へ転送されるまで、ステップ３８〜４０の処理を繰り返す。１ページ目の最後のブロックである第３ブロックがプリンタ４０へ転送されると、言い換えると、１ページ分の画像データの取り込みが終了すると（ステップ３７）、プリンタ４０へ１ページ目の画像データの印刷開始を指示する（ステップ６４）。
【００５５】
次に、サーバ３０からの指示で、自動給紙装置２５が１ページ目の原稿を排紙、２ページ目の原稿を給紙すると、１ページ目の印刷終了を待たずに、ステップ２４,２５,３１,３２,３７を経て、サーバ３０は、１ページ目と同様に、２ページ目の各ブロックの画像データの取り込みと並行して（ステップ３８）、２ページ目の各ブロックの画像データの転送を実行する（ステップ４０）。そして、２ページ目の最後のブロックである第３ブロックがプリンタ４０へ転送されると（ステップ３７）、プリンタ４０へ２ページ目の画像データの印刷開始を指示し（ステップ６４）、自動給紙装置２５に２ページ目の原稿を排紙させると共に、３ページ目の原稿を給紙させ（ステップ６４）、１ページ目及び２ページ目の印刷終了を待たずに、３ページ目の第１ブロックの画像データを取り込む。
【００５６】
但し、３ページ目の第１ブロックの画像データの取り込みは、１ページ目及び２ページ目の各ブロックの画像データの取り込み（ステップ３８）と異なり、ステップ３４の処理で実行される。これは、プリンタ記憶部８２に原稿２ページ分の記憶容量があるものの、１ページ目及び２ページ目の画像データの印刷が未だ終了しておらず、プリンタ記憶部８２に１ページ分の空きメモリがないため、ステップ２４，２５，３１の処理後のステップ３２での判断で、ステップ３３へ進むからである。
【００５７】
以下は、プリンタ記憶部８２に１ページ分の空きメモリができるまで（ステップ３２）、スキャナ１０から各ブロックの画像データの取り込みを繰り返す（ステップ３４）。そして、プリンタ記憶部８２に１ページ分の空きメモリができると（ステップ３２）、言い換えると、１ページ目の画像データの印刷が終了すると、３ページ目の全ブロック（第一プリンタ側処理単位）の画像データをプリンタ４０へ一度に転送する（ステップ３６）。
【００５８】
４ページ目に関しても、３ページ目と同様に、スキャナ１０から４ページ目の各ブロックの画像データの取り込みを繰り返して実行し（ステップ３４）、プリンタ記憶部８２に１ページ分の空きメモリができると（ステップ３２）、言い換えると、２ページ目の画像データの印刷が終了すると、４ページ目の全ブロックの画像データをプリンタ４０へ一度に転送する（ステップ３６）。
【００５９】
以上のように、本実施形態では、１ページの印刷終了を待たずに、次ページの画像データ取り込み及び転送を実行し、プリンタ記憶部８２に空きメモリができれば、直ちに画像データを転送し、ある原稿の印刷時間と次原稿の印刷時間との間に、待ち時間が基本的に無く、多数の原稿をコピーする場合でも、コピー時間を短くすることができる。また、図６のタイミングチャートで示す場合には、プリンタ記憶部８２に１ページ分の空きメモリができるまで、サーバ３０からプリンタ４０への画像データの転送を行わないようにしているので、この間におけるサーバ３０やプリンタ４０のＣＰＵ負荷を軽減することができる。
【００６０】
次に、図７に示すタイミングチャートで、サーバ記憶部７２に原稿１ページ分の記憶容量があり、プリンタ記憶部８２に原稿１．５ページ分の記憶容量がある場合について説明する。
【００６１】
この場合も、基本的に、図６に示した場合と同様であるが、プリンタ記憶部８２の記憶容量が図６に示した場合よりも少ないために、プリンタ記憶部８２に関する１ページ分の空きメモリ待ちが２ページ目から始まり、空きメモリ待ちの回数が増えることになる。
【００６２】
次に、図８に示すタイミングチャートで、サーバ記憶部７２に原稿２／３ページ分の記憶容量があり、プリンタ記憶部８２に原稿２ページ分の記憶容量がある場合について説明する。
【００６３】
この場合、１ページ目及び２ページ目まで、画像データ取込及び転送のタイミングは、図６に示した場合と同様である。但し、サーバ記憶部７２は、原稿２／３ページ分の記憶容量であるため、ステップ２５の判断で必ずステップ５０の処理に進むことになり、画像データの取り込みはステップ５６の処理で実行され、画像データの転送はステップ５３の処理で実行される。
【００６４】
３ページ目に関しては、図６に示した場合と同様に、プリンタ記憶部８２に原稿２ページ分の記憶容量があるものの、１ページ目及び２ページ目の画像データの印刷が未だ終了しておらず、プリンタ記憶部８２に空きメモリがないため、空きメモリができるまで待つことになる。但し、この場合は、図６に示した場合と異なり、１ブロック分以上の空きメモリができるまで待つことになる（ステップ５２）、そして、プリンタ記憶部８２に１ブロック分以上の空きメモリができると、取り込み済み画像データのうちプリンタ記憶部８２の空きメモリ分以内であって第二プリンタ側処理単位の最大倍数分を一度に転送する（ステップ５３）。なお、ここでは、３ページ目の第１，２ブロックの画像データを一度に転送する。次に、３ページ目の第３ブロックの画像データをスキャナ１０から取り込んでから（ステップ５６）、この第３ブロックの画像データをプリンタ４０へ転送する（ステップ５３）。
【００６５】
４ページ目に関しても、３ページ目と基本的に同様に画像データの取込及び転送が実行される。
【００６６】
このように、サーバ記憶部７２の記憶容量が１ページ分未満であっても、１ページの印刷終了を待たずに、次ページの画像データ取り込み及び転送を実行しているので、従来技術より、効率的なコピー処理を行うことができる。
【００６７】
次に、図９に示すタイミングチャートで、サーバ記憶部７２に原稿２／３ページ分の記憶容量があり、プリンタ記憶部８２に原稿１．５ページ分の記憶容量がある場合について説明する。
【００６８】
この場合は、基本的に、図８に示した場合と同様であるが、プリンタ記憶部８２の記憶容量が図８に示した場合よりも少ないために、プリンタ記憶部８２の空きメモリ待ちが２ページ目から始まり、空きメモリ待ちの回数が増えることになる。なお、この場合、サーバ３０からプリンタ４０へのデータ転送速度が比較的遅ければ、図７に示した場合に対して、２ページ目以降の空きメモリ待ち時間が短いことから、こちらの方がコピー速度は向上する。但し、２ページ目以降において、画像データの取込中に画像データの転送を行う場合があるので、図７の場合よりもサーバ３０及びプリンタ４０のＣＰＵ負荷が高まることになる。
【００６９】
ところで、以上では、画像データの取込・転送に関して、図６〜図９を用いて、４種類のタイミングを示したが、このタイミングの相違は、原稿サイズや取込解像度の違いの他、サーバ記憶部７２やプリンタ記憶部８２の記憶容量の違いによって生じるものである。従って、例えば、サーバ記憶部７２の記憶容量が小さい場合には、原稿サイズや取込解像度等に関わり無く、ステップ２５の判断処理で、必ずステップ５０の処理に進むこともある。このような場合には、当然、ステップ２５での判断処理が不要となり、ステップ２４の処理後、直ちに、ステップ５０へ進むことになる。
【００７０】
【発明の効果】
本発明によれば、１ページの原稿の印刷終了を待たずに、サーバ記憶手段に空き容量があれば、サーバがスキャナから次原稿の画像データの取り込みを実行し、プリンタ記憶手段に空き容量があれば、サーバがプリンタへ次原稿の画像データの転送を実行しているので、ある原稿の印刷時間と次原稿の印刷時間との間に、待ち時間が基本的に無くなり、多数の原稿をコピーする場合でも、コピー時間を短くすることができる。
【図面の簡単な説明】
【図１】本発明に係る一実施形態におけるコピーシステムの回路ブロック図である。
【図２】本発明に係る一実施形態におけるコピーシステムの機能ブロック図である。
【図３】本発明に係る一実施形態におけるサーバの動作順序を示すフローチャートである。
【図４】図３におけるステップ３０の詳細フローチャートである。
【図５】図３におけるステップ５０の詳細フローチャートである。
【図６】本発明に係る一実施形態におけるコピーシステムの動作タイミングチャート（その１）である。
【図７】本発明に係る一実施形態におけるコピーシステムの動作タイミングチャート（その２）である。
【図８】本発明に係る一実施形態におけるコピーシステムの動作タイミングチャート（その３）である。
【図９】本発明に係る一実施形態におけるコピーシステムの動作タイミングチャート（その４）である。
【図１０】本発明に係る一実施形態における画像データの取込状況の表示内容を示す説明図である。
【図１１】本発明に係る一実施形態における画像データの印刷状況の表示内容を示す説明図である。
【図１２】従来技術におけるサーバの動作順序を示すフローチャートである。
【図１３】従来技術におけるコピーシステムの動作タイミングチャートである。
【符号の説明】
１０…スキャナ
２０…スキャン機構部
２５…自動給紙装置
３０…サーバ
３２…ＣＰＵ
３３…ＲＯＭ
３４…ＲＡＭ
４０…プリンタ
５０…印刷機構部
６１…スキャン制御部
６２…スキャナ記憶部
７１…統合管理部
７２…サーバ記憶部
７４…必要記憶容量演算部
７５…サーバ空き容量把握部
７６…プリンタ空き容量把握部
７７…画像データ受信管理部
７８…画像データ送信管理部
８１…プリント制御部
８２…プリンタ記憶部
【図１】
0003711796.tif 000004
【図２】
0003711796.tif 000005
【図３】
0003711796.tif 000006
【図４】
0003711796.tif 000007
【図５】
0003711796.tif 000008
【図６】
0003711796.tif 000009
【図７】
0003711796.tif 000010
【図８】
0003711796.tif 000011
【図９】
0003711796.tif 000012
【図１０】
0003711796.tif 000013
【図１１】
0003711796.tif 000014
【図１２】
0003711796.tif 000015
【図１３】
0003711796.tif 000016